(57)【要約】【課題】  駆動音を抑制することができ、また効率低下を抑制することができる車両用空調制御装置を提供すること。【解決手段】  電動コンプレッサ２の電動モータを回転速度制御するコントローラ１において、電動モータの目標回転速度を設定する加算器１２及び目標回転速度設定部１３と、目標回転速度へ電動モータの回転速度を制御する電動モータ制御部１５を備え、目標回転速度設定部１３は、起動が指令されてから所定期間は、目標回転速度を所定回転速度に保持した。【選択図】        図１
2009096432.tif 000002
【特許請求の範囲】
【請求項１】
電動コンプレッサの電動モータを回転速度制御する車両用空調制御装置において、
エバポレータ通過後の空気の目標温度を設定する目標温度設定手段と、
エバポレータ通過後の空気の実温度を検出する温度検出手段と、
前記目標温度と前記実温度の温度差が小さくなるように、前記電動モータの目標回転速度を設定する目標回転速度設定手段と、
前記目標回転速度へ前記電動モータの回転速度を制御する電動モータ制御手段と、
空調のオンオフを操作入力するスイッチ手段と、
前記スイッチ手段の入力及び前記温度差から前記電動モータの起動と停止を前記電動モータ制御手段へ指令する起動停止指令手段と、
を備え、
前記目標回転速度設定手段は、起動が指令されてから所定期間は、前記目標回転速度を所定回転速度に保持する、
ことを特徴とする車両用空調制御装置。
【請求項２】
請求項１に記載の車両用空調制御装置において、
前記目標回転速度設定手段は、前記実温度が上昇から下降に変わる時点に基づいて、前記所定期間の終了時期を設定する、
ことを特徴とする車両用空調制御装置。
【請求項３】
請求項１または請求項２に記載の車両用空調制御装置において、
前記目標回転速度設定手段が所定期間保持する前記所定回転速度は、所定期間経過後に行われる通常制御による回転速度の収束値の推定値に基づいて設定する、
ことを特徴とする車両用空調制御装置。
【請求項４】
請求項３に記載の車両用空調制御装置において、
日射量情報と外気温の情報を得る情報入力手段を設け、
前記収束値の推定値は、日射量及び外気温と目標回転数のマップデータから求められることを特徴とする車両用空調制御装置。
【請求項５】
請求項１〜請求項４のいずれかに記載の車両用空調制御装置において、
操作により目標車室内温度を入力する目標車室内温度入力手段と、
車室内の温度を検出する車室内温度検出手段と、
を備え、
前記目標回転速度設定手段は、起動が指令された際に、目標車室内温度と車室内温度の差が所定値以上である場合には、所定期間の経過にかかわらず、直ちに前記目標回転速度を所定回転速度に保持しない通常の温度制御を行う、
ことを特徴とする車両用空調制御装置。
【発明の詳細な説明】
【技術分野】
【０００１】
本発明は、車両用空調装置を制御する車両用空調制御装置の技術分野に属する。
【背景技術】
【０００２】
従来では、車室内温度が高ければ、コンプレッサを高速運転し、車室内温度が低ければ、コンプレッサを低速運転し、目標温度より所定値以上低くなれば、運転を停止している（例えば、特許文献１参照。）。
【特許文献１】特開昭６３−５７３１６号公報（第１−４頁、第５図）
【発明の開示】
【発明が解決しようとする課題】
【０００３】
しかしながら、従来にあっては、目標室内温度を維持するための電動コンプレッサの駆動と駆動停止を繰り返す際に、温度偏差で回転数が高くなることにより駆動音が大きくなっていた。
【０００４】
本発明は、上記問題点に着目してなされたもので、その目的とするところは、駆動音を抑制することができ、また効率低下を抑制することができる車両用空調制御装置を提供することにある。
【課題を解決するための手段】
【０００５】
上記目的を達成するため、本発明では、電動コンプレッサの電動モータを回転速度制御する車両用空調制御装置において、エバポレータ通過後の空気の目標温度を設定する目標温度設定手段と、エバポレータ通過後の空気の実温度を検出する温度検出手段と、前記目標温度と前記実温度の温度差が小さくなるように、前記電動モータの目標回転速度を設定する目標回転速度設定手段と、前記目標回転速度へ前記電動モータの回転速度を制御する電動モータ制御手段と、空調のオンオフを操作入力するスイッチ手段と、前記スイッチ手段の入力及び前記温度差から前記電動モータの起動と停止を前記電動モータ制御手段へ指令する起動停止指令手段と、を備え、前記目標回転速度設定手段は、起動が指令されてから所定期間は、前記目標回転速度を所定回転速度に保持する、ことを特徴とする。
【発明の効果】
【０００６】
よって、本発明にあっては、駆動音を抑制することができ、また効率低下を抑制することができる。
【発明を実施するための最良の形態】
【０００７】
以下、本発明の車両用空調制御装置を実現する実施の形態を、請求項１に係る発明に対応する実施例１と、請求項１，２に係る発明に対応する実施例２と、請求項１，３，４に係る発明に対応する実施例３と、請求項１，５に係る発明に対応する実施例４とに基づいて説明する。
【実施例１】
【０００８】
まず、構成を説明する。
図１に示すのは、実施例１の車両用空調制御装置を用いた空調システムの概略説明図である。
実施例１における空調システムは、コントローラ１、電動コンプレッサ２、リキッドタンク３、ファン４、コンデンサ５、エバポレータ６、電磁弁７、温度センサ８、エアコンスイッチ９を主要な構成としている。
コントローラ１は、車室内の温度が目標温度に保たれるように、電動コンプレッサ２や電磁弁７を制御する。電動コンプレッサ２の制御については、後述する。
【０００９】
電動コンプレッサ２は、エバポレータ６からの冷媒を圧縮して高圧冷媒をコンデンサ５へ送る。
リキッドタンク３は、一時的に液化した冷媒を溜めるようにし、水分やゴミを除去し、液化冷媒を電磁弁７へ送る。
ファン４は、車室内を空調する冷却風を発生させ、車室内へ送る。
コンデンサ５は、電動コンプレッサ２からの高圧冷媒を放熱冷却させ液化させる。
エバポレータ６は、冷媒を蒸発させてファン４が車室内に送る空気を冷却する。
【００１０】
電磁弁７は、コントローラ１からの指令により冷媒量を制御する。なお、エキスパンションバルブとしての機能を備えるようにしてもよく、別に設けるようにしてもよい。
温度センサ８は、エバポレータ通過直後の空気温を検出する。
エアコンスイッチ９は、車室内に設けられ、乗員の操作により空調システムのオンオフを入力する操作スイッチである。
【００１１】
図２に示すのは、実施例１のコントローラに組み込まれた車両用空調制御装置のブロック構成を示す図である。
コントローラに組み込まれた車両用空調制御装置は、目標温度設定部１１、加算器１２、目標回転速度設定部１３、起動停止指令部１４、電動モータ制御部１５を主要な構成としている。
目標温度設定部１１は、日射量、車室内温度、エアコンの目標温度設定などの情報を用いてエバポレータ通過直後の空気の目標温度を設定し、加算器１２へ出力する。
加算器１２は、目標温度設定部１１からの空気の目標温度と、温度センサ８からの実際の温度（実温度）の偏差を演算し、目標回転速度設定部１３、及び起動停止指令部１４へ出力する。
【００１２】
目標回転速度設定部１３は、目標温度に対し、実温度が高い場合は、目標回転速度を上げて、温度を下げようとする。例としてＰＩ制御を挙げておく。但し、起動指令を受けてから所定期間は、目標回転速度を所定値に保持する。
起動停止指令部１４は、エアコンスイッチ９による操作入力と、温度偏差から起動、停止を判断して指令を、目標回転速度設定部１３及び電動モータ制御部１５へ出力する。具体的には、目標温度に対して実温度が所定温度差以上、下回った場合に、モータを停止し、モータ停止中に目標温度まで実温度が上昇したら起動する指令を出力する。
電動モータ制御部１５は、目標回転速度が実現するように、電動コンプレッサ２の電動モータを制御する。ただし、停止指令中は、目標回転速度に関係なく、電動モータを停止する。
【００１３】
次に作用を説明する。
[停止状態と駆動状態の切替処理]
図３に示すのは、起動停止指令部における制御状態の遷移を示す図である。
状態Ｓ１は、電動コンプレッサ２の電動モータの停止状態であり、状態Ｓ２は、電動コンプレッサ２の電動モータの駆動状態である。
【００１４】
初期状態は、モータ停止の状態Ｓ１とする。
停止の状態Ｓ１から駆動の状態Ｓ２へ移行する条件としては、エアコンスイッチ９によるオフからオンへの切り替わり、または、エバポレータ６を通過直後の実温度が目標温度より高い状態（エバ直温度>エバ直目標温度）から、実温度が目標温度以下の状態（エバ直温度≦エバ直目標温度）に変わったことを条件とする。
【００１５】
次に、駆動の状態Ｓ２から停止の状態Ｓ１へ移行する条件としては、エアコンスイッチ９によりオンからオフへの切り替わり、または、エバポレータ６を通過直後の実温度が、目標温度から所定値Ｔｈｙｓを減算した温度より低い状態（エバ直温度<エバ直目標温度−Thys）から、実温度が、目標温度から所定値Ｔｈｙｓを減算した温度以上となった状態（エバ直温度≧エバ直目標温度−Thys）に変わったことを条件とする。
所定値Ｔｈｙｓは、例えば２℃程度の定数とする。停止、駆動状態の切り替わりが頻繁にならないようにするためにヒステリシスを設けている。
【００１６】
[駆動状態への切替り時の動作処理]
図４に示すのは、目標回転速度設定部における停止状態から駆動状態へ切り替わる際の動作処理の流れを示すフローチャートで、以下各ステップについて説明する。
【００１７】
ステップＳ１１では、エアコンスイッチ９の操作入力によるものではなく、実温度が目標温度より高い状態から、実温度が目標温度以下の状態に変わったことによる停止状態から駆動状態への切り替わりかどうかを判断する。条件成立の場合には、ステップＳ１２へ進み、条件不成立の場合には、ステップＳ１５へ進む。
【００１８】
ステップＳ１２では、保持動作モードとして、目標回転速度設定部１３が設定する電動コンプレッサ２の電動モータの目標回転速度の最大値を通常の温度制御モードの状態よりも低い値に制限する。
【００１９】
ステップＳ１３では、保持動作モードの時間のカウントをスタートする。
【００２０】
ステップＳ１４では、保持動作モードの時間が所定時間に達したかどうかを判断し、所定時間に達したならばステップＳ１５へ進み、所定時間に達していないならばステップＳ１６へ進む。
【００２１】
ステップＳ１５では、温度制御モードとして、目標回転速度設定部１３が設定する電動コンプレッサ２の電動モータの目標回転速度の最大値を保持動作モードの制限を解除した大きい通常値にして、目標温度に実温度を近づける通常の制御を行う。
【００２２】
ステップＳ１６では、保持動作モードを維持する。
【００２３】
ステップＳ１７では、保持動作モードの時間のカウントをインクリメント（増加）する。
【００２４】
[停止状態から駆動状態切り替わる際に保持動作モードとなる作用]
図５は、実施例１の車両用空調制御装置を用いた車両用の空調システムの目標温度、実温度、起動停止指令、動作モード、目標回転速度のタイムチャートである。図６は、空調システムの目標温度、実温度、起動停止指令、目標回転速度のタイムチャートである。
【００２５】
実施例１の車両用空調制御装置を用いた車両用の空調システムでは、目標温度設定部１１により、日射量、車室内温度、エアコンの目標温度設定などの情報を用いてエバポレータ通過直後の空気の目標温度を設定する。
そして、温度センサ８でエバポレータ６の直後の空気温度を検出して実温度とする。この目標温度と実温度の偏差を加算器１２で演算し、偏差の値に比例した制御量（Ｐ制御）、偏差の値を積分した制御量（Ｉ制御）の例えばＰＩ制御により、目標回転速度を設定する。これにより電動モータ制御部１５は、目標回転速度が実現するようモータ制御を行う。
【００２６】
このように制御されたことにより、目標温度から所定値Ｔｈｙｓ（例として２℃）を減算した温度以下に実温度が下がると、起動停止指令部１４の指令により、電動コンプレッサ２の電動モータが停止している状態になる（状態Ｓ２→Ｓ１）。
【００２７】
そして、電動コンプレッサ２の停止により、温度センサ８で検出するエバポレータ６の直後の冷却風が徐々に上昇し、目標温度に達すると、起動停止指令部１４の指令により、電動コンプレッサ２の電動モータを駆動させる状態になる（状態Ｓ１→Ｓ２、図５の符号１０１〜１０３参照）。
この際には、起動停止指令部１４の指令が目標回転速度設定部１３へ入力される。その際に、目標温度と実温度の関係による起動であることを示す入力を行うか、または目標回転速度設定部１３が、加算器１２からの入力により判断するかにより、温度による停止状態から駆動状態への切り替わりか、エアコンスイッチ９の入力によるものかを判断する（ステップＳ１１）。
【００２８】
エアコンスイッチ９によるものの場合には、作動音を乗員に聞かせるほうが、操作者の意に応じた動作を行っていることを伝達することができるため、通常の温度制御モードへ移行する（ステップＳ１１→Ｓ１５）。
【００２９】
温度による停止状態から駆動状態への切り替わりの場合には、保持動作モードでの動作を行う（図５の符号１０４、ステップＳ１２、図５(a),(b)参照）。この保持動作モードでは、目標回転速度設定部１３における電動コンプレッサ２の電動モータの目標回転速度が、例えば、図５(a)に示すように目標温度と実温度との偏差が拡がるようになっても、以下の動作を行う。つまり、ステップＳ１２〜Ｓ１４でカウントする所定時間の経過（図５(c)参照）までは、目標温度と実温度との偏差に関わらず、電動モータの目標回転速度の最大値を通常の最大値よりも低い値に抑制する（図５の符号１０４、１０５、図５(d)参照）。
【００３０】
すると、所定時間経過後（例として１０sec後）に保持動作モードから通常の温度制御モードになり、目標回転速度の最大値の制限が解除されても、図５(a)に示すように、目標回転速度の変化が少ないために、実温度のアンダーシュートが抑制され、その結果、モータが停止せず、動作が安定する。つまり、モータの停止、駆動が頻繁に切り替えられることが抑制され、その分、動作が安定する。
【００３１】
さらに説明する。
例えば、車両用の空調システムにおいて、電動コンプレッサ２の電動モータの回転速度制御を行う場合、目標温度より実温度が低くなれば、電動モータを停止することになる。
すると、モータ停止後、実温度が目標温度まで上昇すると、再び電動モータをオンにするが１０秒程度は、反応せずに実温度が上昇していくことになる（図６の符号２０１〜２０３参照）。
【００３２】
電動モータの回転速度制御に積分制御が含まれていると、その分、温度差が蓄積し、電動モータの目標回転数が上昇する（図６の符号２０４参照）。
そして、電動モータの再駆動の開始による電動コンプレッサの作動の開始により、遅れて温度が下がり始めると、それまでの分の積分制御の影響で、目標回転数は高くなっているので、温度の下がり方が速くなり、すぐに、再度目標温度より実温度が低くなり、電動モータが停止する（図６の符号２０３、２０４参照）。
【００３３】
そして、上記のことが繰りかえすことになる（図６参照）。この動作において、電動モータが起動して以降、温度偏差で回転数が高くなることにより駆動音が大きくなってしまう。
【００３４】
実施例１では、保持動作モードを設けることにより、図５(d)に示すように、回転数速度の最大値が抑制される。また、回転数が大きく落ち込むことを生じないようにできる。このように目標回転速度の変化を少なくすると、実温度のアンダーシュートが抑制され、その結果、モータが停止せず、動作が安定する。つまり、頻繁な駆動と停止の繰り返しが抑制される。
そのため、モータの駆動音が低く抑えられる。
【００３５】
高速な回転数が抑制されることにより定常的な駆動音が抑制され、且つ回転数の大きな変動の抑制は、駆動音の変化を抑制し、乗員が不快な音と気付くことを抑制することになる。
【００３６】
また、一時的な高回転化の抑制は、効率低下を防ぐ、つまり鉄損の増加を防ぐことになる。
【００３７】
次に、効果を説明する。
実施例１の車両用空調制御装置にあっては、下記に列挙する効果を得ることができる。
【００３８】
(1)電動コンプレッサ２の電動モータを回転速度制御するコントローラ１において、エバポレータ６を通過後の空気の目標温度を設定する目標温度設定部１１と、エバポレータ６を通過後の空気の実温度を検出する温度センサ８と、目標温度と実温度の温度差が小さくなるように、電動モータの目標回転速度を設定する加算器１２及び目標回転速度設定部１３と、目標回転速度へ電動モータの回転速度を制御する電動モータ制御部１５と、空調のオンオフを操作入力するエアコンスイッチ９と、エアコンスイッチ９の入力及び温度差から電動モータの起動と停止を電動モータ制御部１５へ指令する起動停止指令部１４を備え、目標回転速度設定部１３は、起動が指令されてから所定期間は、目標回転速度を所定回転速度に保持するため、駆動音を抑制することができ、また効率低下を抑制することができる。
【実施例２】
【００３９】
実施例２は、所定期間の終了タイミングを実温度が低下し始めるタイミングに基づいて設定する例である。
構成を説明する。
図７は実施例２のコントローラに組み込まれた車両用空調制御装置のブロック構成を示す図である。
目標回転速度設定部１６は、実温度が低下し始めるタイミングに基づいて、保持期間の終了時期を設定する。例えば、温度低下直後に終了してもよいし、温度低下開始から所定期間後としてもよい。
その他構成は、実施例１と同様であるので説明を省略する。
【００４０】
作用を説明する。
[駆動状態への切替り時の動作処理]
図８に示すのは、目標回転速度設定部における停止状態から駆動状態へ切り替わる際の動作処理の流れを示すフローチャートであり、以下各ステップについて説明する。なお、図４と同様の処理を行うステップについては、同じ符号を示し説明を省略する。
【００４１】
ステップＳ２１では、実温度が低下し始めたかどうかを判断し、低下し始めたならばステップＳ２２へ進み、低下し始めていないならばステップＳ２３へ進む。
【００４２】
ステップＳ２２では、実温度が低下し始めた現時点に所定時間値を加算することにより、カウントされている所定時間の終了時間（終期）を設定する。
【００４３】
ステップＳ２３では、保持動作モードを維持する。
【００４４】
ステップＳ２４では、保持動作モードの時間のカウントをインクリメント（増加）する。
【００４５】
[停止状態から駆動状態切り替わる際に保持動作モードとなる作用]
図９は、実施例２の車両用空調制御装置を用いた車両用の空調システムの目標温度、実温度、起動停止指令、動作モード、目標回転速度のタイムチャートである。
実施例２では、モータ停止後、実温度が目標温度を超えたことにより、モータを保持動作モードで駆動開始した場合（図９、符号３０１〜３０５参照）、実温度が低下し始めるかどうかを判断する（ステップＳ２１）。
【００４６】
実温度が上昇を続けるか、または定温状態ならば、時間カウントを行いつつ、保持動作モードを継続する（ステップＳ２３、Ｓ２４）。
その後、実温度が低下し始めたならば（図９(a)のＡ点参照）、その時点に所定時間値を加えるようにして、所定時間の終了タイミングを設定する（ステップＳ２１→Ｓ２２）。
そして、設定された所定時間に達したならば、通常の温度制御モードに切り替える(図９参照）。
【００４７】
このように実施例２では、実温度が低下し始める時点を考慮して、保持動作モードの終了タイミングを決める。そのため、車両への日射の状況、運転状況としての路面温度や周囲温度などの状況により、実温度が目標温度を超えて上がり始めてから、冷却作用により低下するまでが長くなるような場合であっても、保持動作モードの終了タイミングを適確なものにする。
【００４８】
もし、実温度が下がり始める前に保持動作モードが終了すれば、上記説明したように、目標回転速度が上昇し、駆動音が問題になる。
実施例２では、実温度が下がり始めてから、所定時間を設定するため、保持動作モードの終了タイミングが早すぎて、目標回転速度が上昇し、駆動音が問題になるようなことを防止する。
【００４９】
効果を説明する。
実施例２の車両用空調制御装置にあっては、上記(1)の効果に加え、下記の効果を得ることができる。
(2)目標回転速度設定部１３は、実温度が上昇から下降に変わる時点に基づいて、所定期間の終了時期を設定するステップＳ２１、Ｓ２２の処理を備えたため、実温度の上昇が長い時間となるような場合であっても、適確な保持動作モードの所定期間とすることができ、駆動音を抑制することができ、また効率低下を抑制することができる。
【実施例３】
【００５０】
実施例３は、保持動作モードで抑制される目標回転速度を、入力情報から設定する例である。
構成を説明する。
図１０は、実施例３のコントローラに組み込まれた車両用空調制御装置のブロック構成を示す図である。図１１は、実施例３のコントローラに組み込まれた車両用空調制御装置の目標回転速度設定部が備えるマップデータである。
実施例３では、目標回転速度設定部１９は、ステップＳ１２、１６の保持動作モードを行う際、日射外気温入力部１７から、日射量、外気温データを入力する。そして、保持動作モードから温度制御モードに切り替えた後の目標回転速度の収束値を推測し、その収束値から目標回転速度を設定する。（その他は、目標回転速度設定部１３と同様である。）
日射外気温入力部１７は、車両用空調システムが備える日射センサ（図示せず）、外気温センサ（図示せず）の検出結果が得られるコントローラ１の内部で得る。そのため、日射外気温入力部１７は入力を示す矢印としてのみ図１０に示すものとする。
なお、収束値の推定には、図１１に示す推定マップ１８を用いる。
その他構成は実施例１と同様であるので、説明を省略する。
【００５１】
作用を説明する。
[停止状態から駆動状態切り替わる際に保持動作モードとなる作用]
実施例３では、目標回転速度設定部１９が保持動作モードを行う際に、通常の温度制御モードの目標回転速度の最大値より低い最大値に制限する。その目標回転数は、保持動作モードの所定期間後に、温度制御モードに戻した際の目標回転速度の収束値を推定し、その推定値によって決める。
さらに、その推定値は、日射外気温入力部１７から得る、日射量、外気温データから、図１１に示す推定マップ１８を参照して求める。
【００５２】
つまり、日射量が多い場合には、目標回転速度の推定値を高い回転数と推定し、且つ外気温が高い（大きい）場合には、目標回転速度の推定値を高い回転数と推定する。
そして、推定値にある程度比例した目標回転速度を設定する。
すると、例えば、外気温度が非常に高い場合、保持動作モードから通常の温度制御モードに切り替えた時点以降において、目標温度と実温度の偏差により、目標回転速度が大きく上昇し、モータ駆動音が大きくなることを適度に抑制することができる。
言い換えて説明する。例えば、図５(a)の実温度（符号１０１）の特性の山の高さは、外気温や日射の関係により、より早く高くなろうとするであろう。これに対して、保持動作モードにより目標回転数を低く抑制すれば、温度制御モードに切り替えた後の目標回転速度が、外気温や日射の関係により、やはりより早く高くなろうとする。すると、目標温度と実温度の差が大きくなり、温度制御モードに切り替えた後の駆動音が大きくなる。
【００５３】
そのため、実施例３では、この温度制御モードに切り替えた後の目標回転速度の動きを推定する。その推定値は、日射量、外気温との関係から、図１１に示す推定マップ１８により決定する。
そして、この推定値に基づいて、保持動作モードの目標回転速度を設定する。
【００５４】
すると、日射量が強い場合、外気温が高い場合には、保持動作モードの目標回転速度を、やや高くする。駆動音抑制の効果はやや少なくなるものの、車室内冷却の作用をやや高めることにより、温度制御モードに切り替えた後に駆動音が大きくなることを抑制し、総じて駆動音を抑制することになる。
【００５５】
次に、効果を説明する。
実施例３の車両用空調制御装置にあっては、実施例１の(1)の効果に加え、下記の効果を得ることができる。
(3)目標回転速度設定部１９が所定期間保持する所定回転速度は、所定期間経過後に行われる通常の温度制御モードによる回転速度の収束値の推定値に基づいて設定するため、保持動作モード後に通常の温度制御モードに切り替わった後に、回転速度が高い値に収束するような場合には、保持動作モードにおける目標回転速度をやや高くすることにより保持動作モードから温度制御モードに切り替えた後の目標回転速度の変動を少なくし、駆動音を抑制することができる。
つまり、温度制御モードに切り替えた際に、車両の環境の影響により実温度が早く高くなろうとし、実温度と目標温度との偏差が大きくなるような場合には、保持動作モードにより目標回転速度を低く抑制しすぎると、そのずれにより、結果的に、通常の温度制御モードに戻した場合に、目標回転速度は早く高くするよう制御されることになる。そのため、このような場合を回転速度の収束値の推定値で得た場合には、保持動作モードの目標回転速度をやや高くすることにより、その後の目標回転速度の変動を抑制し、結果的に総合的な駆動音を抑制することができる。
【００５６】
(4)日射量情報と外気温の情報を得る日射外気温入力部１７を設け、収束値の推定値は、日射外気温入力部１７からの日射量及び外気温と目標回転数の推定マップ１８から求められるため、車両の環境の影響により実温度が早く高くなろうとし、実温度と目標温度との偏差が大きくなることにより駆動音が保持動作モード後の温度制御モードで大きくなることを防止することが、推定マップ１８の参照により、制御に負担少なく達成することができる。
【実施例４】
【００５７】
実施例４は、車室内温度と目標車室内温度との差が所定値以上高い場合には、保持動作モードに入らず、すぐに温度制御モードに入るようにした例である。
図１２は実施例４のコントローラに組み込まれた車両用空調制御装置のブロック構成を示す図である。
車室内温センサ２０は、空調システムのために車室内の温度を検出するよう車室内に設けられる。実施例４では、その情報だけをコントローラ１内で得ることになるため、図１２のように示す。
目標車室内温度２１は、空調システムの操作入力として車内に設けられる操作入力部からの入力である。実施例４では、その情報だけをコントローラ１内で得ることになるため、図１２のように示す。
目標回転速度設定部２２は、目標車室内温度と車室内温度の検出値との差が所定値より高い場合には、保持動作モードを行わず、温度制御モードを行うようにする。(その他は、目標回転速度設定部１３に同様である）
なお、目標車室内温度及び車室内温度、又はその温度差は、目標温度設定部１１から目標回転速度設定部２２へ入力するブロック構成であってもよい。
その他構成は、実施例１と同様であるので、説明を省略する。
【００５８】
作用を説明する。
[駆動状態への切替り時の動作処理]
図１３に示すのは、目標回転速度設定部における停止状態から駆動状態へ切り替わる際の動作処理の流れを示すフローチャートであり、以下各ステップについて説明する。なお、図４と同様の処理を行うステップについては、同じ符号を示し説明を省略する。
【００５９】
ステップＳ３１では、目標車室内温度と車室内温度との差が所定温度以内かどうかを判断し、所定温度以内であるならば、ステップＳ１１へ進み、所定温度を超えているならばステップＳ１５へ進む。
【００６０】
[保持モードを行わず温度制御モードを行う作用]
実施例４では、駆動停止状態から起動状態になる際に、目標回転速度設定部２１が目標車室内温度２１の入力から得る目標車室内温度と、車室内温センサ２０から得る車室温との温度差が所定値内ならば、保持動作モードを行うようにする。
もし、その温度差が所定値を超えるならば、保持動作モードを行わず、温度制御モードへ移行する（ステップＳ３１→Ｓ１５）。
【００６１】
車両用空調システムでは、エバポレータ６を通過直後の空気温度の実温度が、エバポレータ６を通過直後の空気温度の目標温度に近づくように制御される。
目標温度設定部１１がエバポレータ６を通過直後の空気温度の目標温度を設定する際には、車室内温度が考慮されている。その上で、より直接的に、車室内温度が、乗員により操作入力で設定される目標車室内温度を大きく上回っていて、非常に高い温度になっている場合には、モータ駆動音の低減よりも、車室内温度をより早く冷却することを優先したほうが、車両の快適性を向上することができる。
そのため、実施例４では、駆動停止状態から起動状態になる際に、目標車室内温度と車室内温度との差が所定値を超えるならば、直ぐに温度制御モードへ移行し、目標回転速度に最大値の低い制限を設けない制御を行い早期に車室内を冷却する。
【００６２】
次に、効果を説明する。
実施例４の車両用空調制御装置にあっては、実施例１の(1)の効果に加え、下記の効果を得ることができる。
(5)操作により入力された目標車室内温度２１と、車室内の温度を検出する車室内温センサ２０を備え、目標回転速度設定部２２は、起動が指令された際に、目標車室内温度と車室内温度の差が所定値以上である場合には、所定期間の経過にかかわらず、直ちに目標回転速度を所定回転速度に保持しない通常の温度制御モードを行うステップＳ３１の処理を行うため、車室内温度が非常に高い場合、駆動音の抑制より車室内の冷却を優先するため、車両の快適性を高めることができる。
【００６３】
以上、本発明の車両用空調制御装置を実施例１〜実施例４に基づき説明してきたが、具体的な構成については、これらの実施例に限られるものではなく、特許請求の範囲の各請求項に係る発明の要旨を逸脱しない限り、設計の変更や追加等は許容される。
【００６４】
例えば、実施例では、エアコンスイッチ９に入力のある場合には、操作入力を優先したが、エアコンスイッチ９による起動の場合も保持動作モードを行うようにしてもよい。
【図面の簡単な説明】
【００６５】
【図１】実施例１の車両用空調制御装置を用いた空調システムの概略説明図である。
【図２】実施例１のコントローラに組み込まれた車両用空調制御装置のブロック構成を示す図である。
【図３】起動停止指令部における制御状態の遷移を示す図である。
【図４】目標回転速度設定部における停止状態から駆動状態へ切り替わる際の動作処理の流れを示すフローチャートである。
【図５】実施例１の車両用空調制御装置を用いた車両用の空調システムの目標温度、実温度、起動停止指令、動作モード、目標回転速度のタイムチャートである。
【図６】空調システムの目標温度、実温度、起動停止指令、目標回転速度のタイムチャートである。
【図７】実施例２のコントローラに組み込まれた車両用空調制御装置のブロック構成を示す図である。
【図８】目標回転速度設定部における停止状態から駆動状態へ切り替わる際の動作処理の流れを示すフローチャートである。
【図９】実施例２の車両用空調制御装置を用いた車両用の空調システムの目標温度、実温度、起動停止指令、動作モード、目標回転速度のタイムチャートである。
【図１０】実施例３のコントローラに組み込まれた車両用空調制御装置のブロック構成を示す図である。
【図１１】実施例３のコントローラに組み込まれた車両用空調制御装置の目標回転速度設定部が備えるマップデータである。
【図１２】実施例４のコントローラに組み込まれた車両用空調制御装置のブロック構成を示す図である。
【図１３】目標回転速度設定部における停止状態から駆動状態へ切り替わる際の動作処理の流れを示すフローチャートである。
【符号の説明】
【００６６】
１  コントローラ
１１  目標温度設定部
１２  加算器
１３  目標回転速度設定部
１４  起動停止指令部
１５  電動モータ制御部
１６  目標回転速度設定部
１７  日射外気温入力部
１８  推定マップ
１９  目標回転速度設定部
２０  車室内温センサ
２１  目標車室内温度
２２  目標回転速度設定部
２  電動コンプレッサ
３  リキッドタンク
４  ファン
５  コンデンサ
６  エバポレータ
７  電磁弁
８  温度センサ
９  エアコンスイッチ
Ｔｈｙｓ  所定値
１０１〜１０５  （信号を示す）線
２０１〜２０４  （信号を示す）線
３０１〜３０５  （信号を示す）線
【図１】
2009096432.tif 000003
【図２】
2009096432.tif 000004
【図３】
2009096432.tif 000005
【図４】
2009096432.tif 000006
【図５】
2009096432.tif 000007
【図６】
2009096432.tif 000008
【図７】
2009096432.tif 000009
【図８】
2009096432.tif 000010
【図９】
2009096432.tif 000011
【図１０】
2009096432.tif 000012
【図１１】
2009096432.tif 000013
【図１２】
2009096432.tif 000014
【図１３】
2009096432.tif 000015